(57)【要約】　　　（修正有）【課題】パチンコ店の表示具において、種々の長さの表示シート22を適用可能にして表示態様の選択の自由度の向上を図れるようにし、且つ狭い通路を移動する通行者が接触しても脱落しにくくする。【解決手段】　パチンコ店の椅子1の背凭れ11に着脱自在に装着する背凭れカバー2と、該背凭れカバー2に着脱自在に結合された表示シート22の組合せから成る、表示用具であって、背凭れカバー2の前記通路側に対応する面には、表示シート22を着脱自在に結合する為のファスナ用の歯を備えた一対のテープの一方が水平に設けられており、表示シート22の上部近傍の裏面には、前記一方のテープに結合分離される他方のテープが設けられており、前記何れかのテープには、前記一対のテープの前記歯部を結合分離する為のファスナ用すべり金具が設けられている。【選択図】　　図１
0003099218.tif 000002
【実用新案登録請求の範囲】
【請求項１】
　パチンコ店の遊戯台前の通路に沿って配列される椅子(1)の背凭れ(11)に着脱自在に装着する背凭れカバー(2)と、該背凭れカバー(2)に着脱自在に結合され且つ表面に文字や図形が記載された表示シート(22)の組合せから成る、表示用具であって、
　前記背凭れカバー(2)の前記通路側に対応する面には、前記表示シート(22)を着脱自在に結合する為のファスナ用の歯を備えた一対のテープの一方が水平に設けられており、
　前記表示シート(22)の上部近傍の裏面には、前記一方のテープに結合分離される他方のテープが設けられており、
　前記何れかのテープには、前記一対のテープの前記歯部を結合分離する為のファスナ用すべり金具が設けられている、パチンコ店の表示用具。
【請求項２】
　請求項１に記載のパチンコ店の表示用具において、
　更に、前記背凭れカバー(2)の前記通路側に対応する面には、平面ファスナの雄具又は雌具が設けられ、前記表示シート(22)には、前記雄具又は雌具に結合される雌具又は雄具が設けられている、パチンコ店の表示用具。
【請求項３】
　請求項１又は２に記載のパチンコ店の表示用具に於いて、
　前記背凭れカバー(2)は、クッション性を有するシートによって下方開放の袋状に形成されている、パチンコ店の表示用具。
【請求項４】
　請求項１から３の何れかに記載のパチンコ店の表示用具に於いて、
　前記表示シート(22)の表面には、インクジェットプリンタで文字や図形が印刷されている、パチンコ店の表示用具。
【考案の詳細な説明】
【技術分野】
【０００１】
　本考案は、室内遊戯施設たるパチンコ店の表示用具、特に、店側の種々のメッセージや、宣伝・広告等の情報を遊戯者に伝達する情報伝達媒体たる表示用具に関するものである。
【背景技術】
【０００２】
　室内遊戯施設としてのパチンコ店では、頻繁に入れ替わる多数の遊戯者に対して、日々変化する情報を機動的に提供できるシステムを構築することが、遊戯者の意識を刺激し、遊戯意欲を惹起するのに有効である。例えば、遊戯台を新台に入れ替えた場合にはその旨を遊戯者にアピールしたり、女性専用台を設置した場合にはその情報を遊戯者に提供する等、日々変化する種々の情報を遊戯者に提供することにより、遊戯意欲を惹起することができる。又、臨時休業のメッセージや、近郊商店等の宣伝・広告を行なう場合もある。
【０００３】
　このような日々変化する情報を遊戯者に伝達する従来の表示用具として、例えば、図４に示す構造のものがある。このものは、椅子(1)の背凭れ(11)に着脱自在に装着する背凭れカバー(2)と、該背凭れカバー(2)に形成された透明ポケット(21)に差込む表示シート(22)とを組合せたものである。
【０００４】
　このものでは、内容の異なる情報が書き込まれた複数種類の表示シート(22)を予め準備しておき、前記透明ポケット(21)内の表示シート(22)を必要に応じて差し替えることにより、日々変化する種々の情報を遊戯者に機動的に提供することができる。
【０００５】
　又、透明ポケット(21)内に表示シート(22)が完全に収納されているから、遊戯者の背後の狭い通路を移動する通行者が背凭れカバー(2)に接触しても表示シート(22)が透明ポケット(21)から脱落する心配がない。
【考案の開示】
【考案が解決しようとする課題】
【０００６】
　しかしながら、上記従来の表示用具では、前述のように通行者が背凭れカバー(2)に接触しても表示シート(22)の脱落の心配は少ないものの、透明ポケット(21)の深さ寸法より長い表示シート(22)を適用することができず、その分、表示態様の選択の自由度が制限されるという問題があった。
【０００７】
　本考案は、かかる点に鑑みて成されたもので、種々の長さの表示シート(22)を適用可能にして表示態様の選択の自由度の向上を図れるようにし、且つ狭い通路を移動する通行者が接触しても脱落しにくい表示用具を提供することを課題とする。
【課題を解決するための手段】
【０００８】
　[請求項１に係る考案]
　上記課題を解決するための請求項１に係る考案の技術的手段は、
　『パチンコ店の遊戯台前の通路に沿って配列される椅子(1)の背凭れ(11)に着脱自在に装着する背凭れカバー(2)と、該背凭れカバー(2)に着脱自在に結合され且つ表面に文字や図形が記載された表示シート(22)の組合せから成る、表示用具であって、
　前記背凭れカバー(2)の前記通路側に対応する面には、前記表示シート(22)を着脱自在に結合する為のファスナ用の歯を備えた一対のテープの一方が水平に設けられており、
　前記表示シート(22)の上部近傍の裏面には、前記一方のテープに結合分離される他方のテープが設けられており、
　前記何れかのテープには、前記一対のテープの前記歯部を結合分離する為のファスナ用すべり金具が設けられている』ことである。
　上記技術的手段によれば、椅子(1)の背凭れ(11)に着脱自在に装着する背凭れカバー(2)に設けられたファスナ用の一方のテープに対し、表示シート(22)に設けられた他方のテープをすべり金具を介して結合分離自在に取り付けることができる。従って、透明ポケット(21)に表示シート(22)を収納する既述従来のものと相違し、上下寸法の短い表示シート(22)のみならず、椅子(1)の背凭れ(11)より長い表示シート(22)であっても適用することができる。
【０００９】
　又、平面ファスナ（マジックテープ：登録商標）で結合する場合に比べ、表示シート(22)と背凭れカバー(2)をファスナを介して確実に結合することができ、狭い通路を移動する通行者が表示シート(22)に接触しても、これが脱落する心配がない。
【００１０】
　[請求項２に係る考案]
　請求項１に於いて、
　『更に、前記背凭れカバー(2)の前記通路側に対応する面には、平面ファスナの雄具又は雌具が設けられ、前記表示シート(22)には、前記雄具又は雌具に結合される雌具又は雄具が設けられている』ものでは、表示シート(22)が背凭れカバー(2)に対して上記ファスナ以外に平面ファスナでも結合されるから、結合状態が一層安定する。
【００１１】
　[請求項３に係る考案]
　請求項１又は２に於いて、
　『前記背凭れカバー(2)は、クッション性を有するシートによって下方開放の袋状に形成されている』ものでは、背凭れカバー(2)を椅子(1)の背凭れ(11)の上方から被せることが出来る。又、背凭れカバー(2)がクッション性を有するシートによって形成されているから、遊戯者が背凭れ(11)に凭れた時のクッション性が確保され、良好な使用感を得ることができる。
【００１２】
　[請求項４に係る考案]
　請求項１から３に於いて、
　『前記表示シート(22)の表面には、インクジェットプリンタで文字や図形が印刷されている』ものとすることが出来るほか、種々の手法を用いて印刷した表示シート(22)を用いることができる。
【００１３】
　インクジェットプリンタで文字等を印刷する場合には、コンピュータで作成した文字や画像をインクジェットプリンタで表示シート(22)に印刷できるから、多品種少量生産に適したものとなる。
【考案の効果】
【００１４】
　以上のように、本考案によれば、透明ポケット(21)に表示シート(22)を収納する既述従来のものと相違し、椅子(1)の背凭れ(11)より長い表示シート(22)であっても使用することができ、表示態様の選択の自由度が向上する。
【００１５】
　又、表示シート(22)と背凭れカバー(2)を平面ファスナ（マジックテープ：登録商標）で結合する場合に比べ、ファスナを介して確実に結合することができるから、通路を移動する通行者が表示シート(22)に接触しても、これが脱落する心配がない。
【００１６】
　更に、背凭れカバー(2)に水平に設けられたファスナ用のテープに表示シート(22)を結合するから、平面ファスナのみで結合する場合に比べ、表示シート(22)を確実に水平にセットすることができる。
【００１７】
　請求項２に係る考案では、表示シート(22)が更に平面ファスナで背凭れカバー(2)に結合できるから、該結合強度が一層向上する。
【００１８】
　請求項３に係る考案では、背凭れカバー(2)がクッション性を有するシートで形成されているから、遊戯者が背凭れ(11)に凭れた時のクッション性が確保され、良好な使用感を得ることができる。
【００１９】
　請求項４に係る考案では、既述したように、コンピュータで作成した文字や画像をインクジェットプリンタで表示シート(22)に印刷できるから、多品種少量生産に適したものとなる。
【考案を実施するための最良の形態】
【００２０】
　以下に、本考案を実施するための最良の形態について添付図面を参照しながら説明する。
　図１に示すように、本願考案の表示用具を構成する背凭れカバー(2)は、パチンコ店の遊戯台(4)前の通路(5)に沿って配列される椅子(1)の背凭れ(11)に上方から着脱自在に被せ得るようになっている。
【００２１】
　上記背凭れカバー(2)は、内面に発泡ウレタン層を備えたクッション性を有するシート(24)を下方開放の矩形状袋に縫製したものである。
【００２２】
　背凭れカバー(2)の前記通路(5)側に対応する面には、表示シート(22)を着脱自在に結合する為のファスナ(6)を構成する歯(64)(64)を備えた一対のテープの一方(61)が水平姿勢で逢着されていると共に、該一方のテープ(61)にはすべり金具(66)とストッパ金具(69)が装着されている。
【００２３】
　一方、表示シート(22)の上部近傍の裏面には、前記一方のテープ(61)に結合分離される他方のテープ(62)が逢着されている。
　又、背凭れカバー(2)に設けられた一方のテープ(61)の上下には、平面ファスナの雄具又は雌具(71)(71)が貼着されている一方、表示シート(22)には、前記雄具又は雌具(71)(71)に結合される雌具又は雄具(72)(72)が設けられている。
【００２４】
　又、表示シート(22)としては、その表面にインクジェットプリンタで「新台デビュー」，「女性席」，「明日は定休日」等、種々の文字や図形等の表示(29)が印刷された、大きさ，形状，表示内容等の異なる複数の表示シート(22)(22)を予め準備しておく（図１，図３の表示シート(22)(22)参照）。
【００２５】
　このものでは、背凭れカバー(2)に設けられたファスナ用の一方のテープ(61)に対し、予め準備した複数の表示シート(22)(22)から必要な情報が記載された一の表示シート(22)を選択し、該表示シート(22)に設けられた他方のテープ(62)をすべり金具を介して結合分離自在に取り付けることができる。従って、透明ポケット(21)に表示シート(22)を収納する既述従来のものと相違し、椅子(1)の背凭れ(11)より長い表示シート(22)等、多様な寸法，形状のものを適用することができる。
【００２６】
　又、平面ファスナで結合する場合に比べ、確実に結合することができるから、通路を移動する通行者が表示シート(22)に接触しても、これが脱落する心配がない。
　又、表示シート(22)が背凭れカバー(2)に対して上記ファスナ(6)以外に平面ファスナの雄具・雌具(71)(71)(72)(72)でも結合されるから、結合状態が一層安定する。
【００２７】
　特に、表示シート(22)の上辺を平面ファスナの雄雌具(71)(72)で背凭れカバー(2)に結合するから、該上辺部が捲れて見苦しくなる不都合が防止できる。
【００２８】
　更に、背凭れカバー(2)がクッション性シートによって形成されているから、背凭れ(11)に凭れた時のクッション性も良好なものとなる。
　尚、背凭れカバー(2)の生地としては、上記クッション性シートのほか、夏季に適メッシュ状の生地や、他の席と区別するサービス席用の起毛生地等を使用することができる。又、汚れの拭き取りを容易にするためには、ビニール等の撥水性生地を使用することが好ましい。
【００２９】
　尚、上記実施の形態では、背凭れカバー(2)側のファスナ用のテープ(61)にすべり金具(66)を設けたが、表示シート(22)がわのファスナ用のテープ(62)にすべり金具(66)を設けても良い。
【図面の簡単な説明】
【００３０】
【図１】本考案の実施形態を説明する斜視図
【図２】本考案の実施の形態に係る表示用具の断面図
【図３】従来例の説明図
【図４】従来例の説明図
【符号の説明】
【００３１】
(1)・・・椅子
(2)・・・背凭れカバー
(22)・・・表示シート
【図１】
0003099218.tif 000003
【図２】
0003099218.tif 000004
【図３】
0003099218.tif 000005
【図４】
0003099218.tif 000006